(57)【要約】【課題】  被調整装置内に設けた回動調整軸に固定したノブを回動調整するように成した回動ノブ調整装置の吸着手段の吸着部をノブの外径以下で接触させて小型で簡単な構成の回動ノブ調整装置を得る。【解決手段】  被調整装置２０内に設けた回動調整軸に固定したノブ２４を回動調整するように成した回動ノブ調整装置３０において、ノブ２４の前面を吸着すると共にフレキシブルに回動可能となされた吸着手段４０と、真空発生装置３１に連結され、エアの吸排気を行う中空孔５１を有し、吸着手段４０を先端に固定した軸手段３８と、この軸手段３８を吸着手段４０と共に回転させる回転手段３２と具備した回動ノブ調整装置を得る。【選択図】        図１
2005109182.tif 000002
【特許請求の範囲】
【請求項１】
被調整装置内に設けた回動調整軸に固定したノブを回動調整するように成した回動ノブ調整装置において、
上記ノブの前面を吸着すると共にフレキシブルに回動可能となされた吸着手段と、
エア吸排気源に連結され、エアの吸排気を行う中空孔を有し、上記吸着手段を先端に固定した軸手段と、
上記軸手段を上記吸着手段と共に回転させる回転手段と、
を具備して成ることを特徴とする回動ノブ調整装置。
【請求項２】
被調整装置内に設けた回動調整軸に固定したノブを回動調整するように成した回動ノブ調整装置において、
上記ノブの前面を吸着する吸着手段と、
エア吸排気源に連結され、エアの吸排気を行う中空孔を有し、上記吸着手段を先端に固定すると共に他端に押圧手段を固定した摺動軸手段と、
上記摺動軸手段を上記吸着手段と共に回転させる回転手段と、
上記摺動軸手段との間に上記押圧部材の偏倚力に抗する様に配設したスプリングを介して本体に固定した摺動軸保持手段と、
を具備して成ることを特徴とする回動ノブ調整装置。
【請求項３】
前記エア吸排気源が前記摺動軸手段に形成した前記中空孔と連通するエア吸排気口との間にフレキシブルエアホースを介して接続された真空発生装置であることを特徴とする請求項１又は請求項２記載の回動ノブ調整装置。
【請求項４】
前記吸着手段の吸着部の外径は少なくとも前記回動調整軸に固定した前記ノブの外径より小さく、蛇腹部を有することを特徴とする請求項１乃至請求項３記載のいずれか１項記載の回動ノブ調整装置。
【請求項５】
前記回転手段は、前記摺動軸手段に固定された前記吸着手段と前記エア吸排気源に接続したフレキシブルエアホースを回転させるアクチュエータであることを特徴とする請求項２乃至請求項４記載のいずれか１項記載の回動ノブ調整装置。
【請求項６】
前記押圧手段は、エア供給源からのエアの供給により前記摺動軸手段を前記ノブの前面方向に摺動させ、該エアの排気により前記摺動軸手段内の前記スプリングの偏倚力により、該ノブ前面と反対方向に摺動可能と成したことを特徴とする請求項２乃至請求項５記載のいずれか１項記載の回動ノブ調整装置。
【発明の詳細な説明】
【技術分野】
【０００１】
本発明は、ボリュームやセレクタ等の回動ノブを有する電子機器の回動軸の調整装置に係り、特にスイッチ付きボリュームの回動ノブを押圧回動させて調整を行うに適した回動ノブ調整装置に関する。
【背景技術】
【０００２】
従来から、電子機器内に配設された、ボリュームやセレクタ等の回転軸に嵌着した回動ノブを外部から直接回動する形態の自動調整装置では、ノブをチャッキングすることでノブを横から挟み込み保持しながら回転させる方法又はノブへ回動機構を押し付けてノブを回動させる方法が一般に行われている。
【０００３】
特許文献１には、調芯機構を持ったチャッキング方式の自動調整用アクチュエータ（回動ノブ調整装置）が記載されている。図６は、この方式のアクチュエータ１の構成を示すもので、メインシャフト２の軸線方向に移動可能に設けられて一対のチャック３の開閉作動を行うスライド部材４に、チャック３の後部内面側に接するアイドル回転部材５を、スライド部材４の軸線に対し直角方向に移動可能に、且つ、回転可能に保持するように構成することで、 チャック３の軸芯と音量ノブのセンターがずれていても、一対のチャック３間でバランスの最良点を探して掴むことができ、この動作をチャック回転時においても行うことで、従来の方式に比べ回転用モータへの負荷変動を少なく抑えられ、安定した回転を得ることが可能な自動調整用アクチュエータ装置が開示されている。
【０００４】
また、従来の回動ボリュウムには、軸に固定したノブを回動動作することによって、例えば、オーディオ信号の可変抵抗値等を変化させると共に、回動ボリュウムの軸が軸線方向へ移動することによって信号を出力する様にした回動ボリュウムが利用されている。この回動ボリュウムは、軸方向へ押圧させることによって移動し、押圧が解除されると押圧前の位置へ移動する様に成されるプッシュスイッチ付回動ボリュウムが例えば、特許文献２に開示されている。このプッシュスイッチ付回動ボリュウムを電子機器に備えることにより、例えば、プッシュスイッチ付回動ボリュウムの軸に固定したノブを押圧する毎に電子機器の電源スイッチのオン、オフ動作を行うことが出来る。
【０００５】
図７は、特許文献２に開示されたプッシュスイッチ付回動ボリュウムの構成を示すものであり、筒状部と軸受部を有する金属製の前側板７には、先端部にスリットを設けて二股状の突部６ａを有する軸６が、止め具９により回転と軸方向の移動が可能に取り付けられている。また、回転体８は合成樹脂の成型品から成る。即ち、回転と軸方向の移動が可能な軸６と、この軸６の回転により回転する回転体８と、ケース１０に設けられ、金属板から成る第１、第２の固定接点１１、１２と、環状部１３ａと、この環状部１３ａから中心方向に延設され、先端部が持ちち上げられた腕部１３ｂを有する金属板から成る可動接点１３とを備え、可動接点１３の腕部１３ｂを第１の固定接点１１に対向させ、また、腕部１３ｂと環状部１３ａとの結合部に対し、中心を挟んで対向する環状部を、第２の固定接点１２に接触させるように可動接点１３をケース１０に収納し、軸６の回転で、回転体８を回転させ、また、軸６の軸方向への移動で、可動接点１３の腕部１３ｂを第１の固定接点１１に接触させる構成とすることで、接触が安定し、接触抵抗が小さく、かつ、組立性の良好なプッシュスイッチ付回動ボリュウムを提供している。
【０００６】
上述のプッシュスイッチ付回動ボリュウムを備える電子機器の調整を行う場合は、先ず、プッシュスイッチ付回動ボリュウムの軸に固定されたノブを押圧し、軸方向へ移動させた後、ノブへの押圧を解除して、ノブを押圧前の位置に戻すことで、電子機器の電源スイッチをオンさせる。次に、ノブを回動させることでプッシュスイッチ付回動ボリュウムの軸を回動することによって、たとえば、オーデッオ信号の可変抵抗値の調整を行うことができる。
【０００７】
【特許文献１】特開平７−１０７７００号公報
【特許文献２】特開平１０−１４９７４６号公報
【発明の開示】
【発明が解決しようとする課題】
【０００８】
上述の従来の特許文献１に開示された、チャッキング方式の回動ノブ調整装置では構造が複雑であることと、ノブをチャッキングする際にチャック３でノブの横方向から挟む構成のため、ノブを回動調整する際には、図６に示したアクチュエータ１を被調整装置内に設けた回動調整軸に固定したノブの外径より小さすることが出来ないため被調整装置内に配設されたノブ間のピッチによっては、チャッキングすることが出来ないだけでなくノブの外径に合わせ、設計の変更が必要となる課題を有していた。
【０００９】
また、特許文献２に開示されているプッシュスイッチ付回動ボリュウムの回動軸にノブを備える電子機器を従来の回動ノブ調整装置によって調整しようとしても、プッシュスイッチ付回動ボリュウムに固定されたノブを押圧して軸線方向に移動させることができないために回動ノブの調整を行うことができない課題を有していた。
【００１０】
さらに、電子機器の回動ノブを押圧しながら回転させる回動ノブ調整装置によって調整しようとしても、プッシュスイッチ付回動ボリュウムの回動ノブを押圧してしまうため、例えば、電子機器の電源スイッチがオンとならない状態で調整動作を開始してしまい調整することができなかった。
【００１１】
本発明は、叙上の課題を解消した回動ノブ調整装置を得ようとするもので、本発明の第１の目的は、被調整装置内に設けた回動調整軸に固定したノブを回動調整するように成した回動ノブ調整装置の吸着手段の吸着部をノブの外径以下で接触させて小型で簡単な構成の回動ノブ調整装置を得る様に成すことを目的とするものである。
【００１２】
本発明の第２の目的は、被調整装置内に設けた回動調整軸に固定したノブを回動調整するように成した回動ノブ調整装置の吸着手段の吸着部と回動調整軸に固定したノブとの間にズレや傾き等の歪があっても正確に回動させることの出来る回動ノブ調整装置を得る様に成すことを目的とするものである。
【００１３】
本発明の第３の目的は、プッシュスイッチ付回動ボリュウムを被調整装置内に設けた回動調整軸に固定したノブを回動調整するように成した回動ノブ調整装置において、このノブを押圧してプッシュスイッチをオンとしてから、ノブの押圧を解除して、プッシュスイッチを元の位置に戻した後、ノブを回動させて、抵抗値等の調整を行うことの出来る回動ノブ調整装置を得る様に成すことを目的とするものである。
【課題を解決するための手段】
【００１４】
上述の第１の目的を達成するために、本発明は、被調整装置内に設けた回動調整軸に固定したノブを回動調整するように成した回動ノブ調整装置において、ノブの前面を吸着すると共にフレキシブルに回動可能となされた吸着手段と、エア吸排気源に連結され、エアの吸排気を行う中空孔を有し、吸着手段を先端に固定した軸手段と、この軸手段を吸着手段と共に回転させる回転手段と具備して成ることを特徴とする回動ノブ調整装置としたものである。
【００１５】
また、第２及び第３の目的を達成するために、本発明は、被調整装置内に設けた回動調整軸に固定したノブを回動調整するように成した回動ノブ調整装置において、ノブの前面を吸着する吸着手段と、エア吸排気源に連結され、エアの吸排気を行う中空孔を有し、吸着手段を先端に固定すると共に他端に押圧手段を固定した摺動軸手段と、この摺動軸手段を吸着手段と共に回転させる回転手段と、摺動軸手段との間に押圧部材の偏倚力に抗する様に配設したスプリングを介して本体の基板に固定した摺動軸保持手段とを具備して成ることを特徴とする回動ノブ調整装置としたものである。
【発明の効果】
【００１６】
本発明の回動ノブ調整装置によれば、被調整装置内に設けた複数の回動調整軸に固定したノブが互いに接近していても他のノブに接触することなく所定の回動調整軸に固定したノブを回動調整することができる。また、ノブの回動調整軸線に対して高い精度で回動ノブ調整装置の吸着手段の軸線を合わせる必要もなく、さらに、軸手段または摺動軸手段の回転、押圧、引き戻しが可能で、少ない部品点数で回動ノブ調整装置が得られる。また、特別に設計変更をすることなく多様な外形のノブに対応可能な回動ノブ調整装置を得ることができる。
【発明を実施するための最良の形態】
【００１７】
以下、本発明の回動ノブ調整装置について説明する。図１は本発明の一実施例である回動ノブ調整装置の１形態を示す全体的構成の斜視図、図２は本発明の一実施例である回動ノブ調整装置の要部の平面図、図３乃至図５は本発明の一実施例である回動ノブ調整装置の動作状態を説明するための断面図である。
【００１８】
本発明の一実施例である回動ノブ調整装置の全体的構成を図１によって説明する。図１において、２０は例えば、オーディオ機器の回動ボリュウム等の抵抗値の調整・検査が行なわれる被調整装置であり、３０は本発明の一実施例である回動ボリュウム等の抵抗値の調整・検査を自動で行なう回動ノブ調整装置である。被調整装置２０内に回動ボリュウム等が配設され、被調整装置２０を構成する筺体２２の前面に配設されたパネル２３には各種の操作用の回動ボリュウム等の軸に嵌着したノブ２４が配設されている。このような被調整装置２０はベルトコンベア２５上を矢印Ａで示す方向に所定時間毎に流されている。
【００１９】
回動ノブ調整装置３０の本体を形成する基盤３４は、薄い直方体状に形成された金属板などで構成されている。この基盤３４上には、エア吸排気源を構成する真空発生装置３１、回転手段を構成するアクチュエータ３２、エアシリンダ３５を動作させるエア供給部３３、摺動軸保持部３７を保持する略直方体状の板材からなる保持板３６が所定の方法で固定されている。
【００２０】
基盤３４上には、エアシリンダ３５の先端に固定された摺動軸手段または軸手段を構成するスライド軸３８を軸線方向にスライドさせるプッシュ金具３９、スライド軸３８の先端に固定された吸着パットから構成される吸着手段４０、真空発生装置３１からのエアがフレキシブルエアホース４２を介してスライド軸３８内の中空孔内に吸排気するエア吸排出部材４１、スライド軸３８の後部に固定した、自在シャフト４３等が配設されている。
【００２１】
次に、図２および図３用いてスライド軸３８に接続する上述の真空発生装置３１、回転手段３２、真空発生装置３１からのフレキシブルエアホース４２、自在シャフト４３、プッシュ金具３９の構成と結合方法を説明する。
【００２２】
摺動軸手段または軸手段を構成するスライド軸３８は、図３に示す様に、略筒状と成され中心部に中空孔５１が形成されその外形は、軸線方向の先端部分は小径部４８と成され筒状の外径は大径部となされている。摺動軸保持部３７は、スライド軸３８の大径部の外径より大きな内径を有する貫通孔を備え、この貫通孔にはスライド軸３８が挿入される。スプリング４６は圧縮コイルスプリングからなりスライド軸３８の小径部４８の外径と摺動軸保持部３７の内径間に配設される。摺動軸保持部３７の一端にはリング状のストッパ４９が固定されている。このリング状のストッパの内径内にスライド軸３８の小径部４８の外径が摺動可能に挿入される。このリング状のストッパ４９は筒状の摺動軸保持部３７と一体に構成してもよい。このストッパ４９はスプリング４６が飛び出ないように保持している。保持板３６は略直方体状の板材に形成した半円状の切り込み内に摺動軸保持部３７の外径部を挿入固定することで基盤３４に固定される。
【００２３】
吸着手段４０は略筒状の基部５０の上部に軟性ゴムからなり内部に空洞をなす蛇腹部を形成し、中央に貫通する孔を有し、前面の開口部をノブ２４の前面に当接させて、ノブ４２の前面に吸着させる吸着パットとしたものである。勿論、この吸着手段４０は、上述の構成に限定されるものではなく、例えば、蛇腹部を通常のゴム製の吸着パットの様に断面が逆ハの字状の開口部となし、略筒状の基部をベローズの様にフレキシブルに回動可能となされた吸着手段とすることも出来る。この吸着手段の基部５０はスライド軸３８の小径部の先端に固定されている。
【００２４】
スライド軸３８の大径部側外径の一端にはエア吸排出部材４１が固定されている。このエア吸排出部材４１は略円筒状部材の円周上にエアの吸排気部を固定し、スライド軸３８の中空孔５１に連通する吸排気口５２に真空発生装置３１から導出したフレキシブルエアホース４２を接合し、図示しない操作部からの指示信号により、吸排気口５２からエアを吸いだすようになされている。尚、フレキシブルエアホース４２は、予め、真空発生装置３１と吸排気口５２との間に十分な弛みを持たせてある。
【００２５】
エア吸排出部材４１の後端には円筒状の結合軸４７が接合されている。回転手段を構成するアクチュエータ３２は、例えば、ステッピングモータである。この、アクチュエータ３２は、図示しない操作部からの指示信号により、アクチュエータ３２内のロータ軸を回転させる。自在シャフト４３は、細長いワイヤーケーブルから成り、結合軸４７の一端と自在シャフト４３は接合され、自在シャフト４３はロータ軸の回転に伴って図２の矢印Ｂ−Ｂの様に回転し、結合軸４７を回転させるのでスライド軸３８へロータ軸の回転を伝達する。
【００２６】
エア供給部３３は操作部からのエア供給信号を入力するとエアシリンダ３５へエアを注入し、操作部からのエア停止信号を入力するとエアシリンダ３５へのエアの注入を停止すると共に、エアシリンダ３５へ注入したエアが外部に漏れない状態に保持する。
【００２７】
エア供給部３３は、操作部からエア排出信号を入力するとエアシリンダ３５内に注入したエアを外部に排出する。エアシリンダ３５は、一端がエア供給部３３に軸支され、他端にシリンダシャフトからなるロッド４５を有し、このロッド４５の一端に略Ｚ字状に形成したプッシュ金具３９に固定されている。プッシュ金具３９の他端は結合軸４７に固定したリング４４に固定されている。エア供給部３３へのエア供給信号又はエア排出信号の供給に対応して、スライド軸３８は、図２に示す矢印Ｃ−Ｅ方向にスライドする。
【００２８】
以下、被調整装置２０内にプッシュスイッチ付回動ボリュウムを固定した場合の動作について説明する。このプッシュスイッチ付回動ボリュウムの軸に嵌着したノブ２４を図２で矢印Ｄの様に押圧すると、ノブ２４の軸は後方へ移動し、押圧が解除されると元の位置に移動し、この元の位置に戻された状態でノブ２４を回転させるとプッシュスイッチ付回動ボリュウムの抵抗値が変化するようになされ、プッシュスイッチ付回動ボリュウムのノブ２４の軸が後方に移動する毎に被調整装置２０内部の電源スイッチをオン、オフするように成されている。
【００２９】
図２及び図３は被調整装置２０内のノブ２４の前面に吸着手段４０の開口部を対抗させた状態の平面及び断面図を示すものであるが、今、回動ノブ調整装置３０が被調整装置２０の電源をオンとした後、ノブ２４を回転させて被調整装置２０の調整動作を行う場合について説明する。
【００３０】
図４は、図３の状態からエア供給部３３がエアシリンダ３５へエアを供給した状態を示し、図５は、図４の状態からエア供給部３３エアシリンダ３５へエアの供給を停止した状態を示す断面図である。
【００３１】
先ず、図３に示すように被調整装置２０内のノブ２４の前面に吸着手段４０の開口部を対抗させた状態では摺動軸保持部３７内のスプリング４６は矢印Ｅ方向の偏倚力が与えられている。今、図示しない操作部からエア供給部３３へエア供給信号を出力するとエアシリンダ３５は、エア供給部３３からエアが供給されるとこのエアの圧力によってロッド４５を図４の矢印Ｃ方向に移動させる。プッシュ金具３９は、ロッド４５の矢印Ｃ方向の移動により、リング４４を押圧し、結合軸４７、エア吸排出部材４１、スライド軸３８並びに吸着手段４０を摺動軸保持部３７内のスプリング４６の偏倚力に抗して矢印Ｃ方向に保持板３６に対してスライドさせる。
【００３２】
従って、スプリング４６は摺動軸保持部３７内で圧縮され、吸着手段４０の開口部はノブ２４の前面に当接し、ノブ２４を後方へ移動させることで、プッシュスイッチ付回動ボリュウムの軸が後方に移動して、被調整装置２０の電源がオン状態になる。
【００３３】
次に、エア吸排気源を構成する真空発生装置３１がエア吸排出部材４１の吸排気口５２からエアを吸い出す様に操作部から指示信号を出力すると、真空発生装置３１はフレキシブルエアホース４２からスライド軸３８の中空孔５１に連通する吸排気口５２を介して吸着手段４０内のエアを図５に矢印Ｆで示す様に排出することで、吸着手段４０の開口部はノブ２４の前面に吸着する。
【００３４】
次に、操作部からエア供給部３３へエア停止信号を出力するとエアシリンダ３５は、エア供給部３３からのエアの供給が停止すると、内部のエアの圧力が一定に保たれた状態となる。この時、スライド軸３８とストッパ４９とにより圧縮されたスプリング４６は、弾性により摺動軸保持部３７を図５の矢印Ｅ方向へ押圧する。スプリング４６の押圧力により、エアシリンダ３５内部のエアは、圧縮され、ロッド４５が矢印Ｅ方向へ移動する。すると、ノブ２４は、図５に示す様に、吸着手段４０に吸着された状態で矢印Ｅ方向に移動し、ノブ２４の軸は押圧前の元の位置に移動する。
【００３５】
次に、アクチュエータ３２、のロータ軸を回転させる様に操作すると、吸着手段４０は、アクチュエータ３２のロータ軸の回転によって、ノブ２４を吸着した状態で回動する。この時、排気口５２に接続されたフレキシブルエアホース４２も排気口５２の回動と共に
エア吸排出部材４１の外周を回動するが真空発生装置３１と排出口５２との間に十分な弛みをもたせていることで吸着手段４０、スライド軸３８、並びに結合軸４７に固定されたエア吸排出部材４１の回動を妨げることは無い。  
【００３６】
上述の様に、回動ノブ調整装置３０は、被調整装置２０の電源をオンした後にノブ２４を回転させて、被調整装置２０の調整をすることが出来る。
【００３７】
被調整装置２０の調整後には真空発生装置３１が排出口５２からエアを吸い出すのを停止させるように操作部からの指示信号を停止することで、真空発生装置３１が排出口５２からエアの吸出しを停止することにより、吸着手段４０は、ノブ２４を吸着しなくなる。
【００３８】
次に、操作部から、エア供給部３３へエア排出信号を出力すると、エア供給部３３は、エアシリンダ３５に注入したエアを排出する。エアシリンダ３５は、エアが排出されることによってロッド４５を元の位置に矢印Ｅの様に移動させることで、吸着手段４０は、ノブ２４から離間し、被調整装置２０の調整を終了させる。
【００３９】
上記の構成では、回転手段としてのアクチュエータ３２をステッピングモータと自在シャフト４３を用いた場合で説明したが、このアクチュエータ３２としてはＤＣモータ、ＡＣモータ等の制御用モータのロータ軸を結合軸４７にカップリング等で直接結合させてもよい。また、スライド軸３８は、単なる中空孔を有する回転のみを行う軸手段（単なる軸）であってもよい。エア供給部３３も電気的な駆動モータ、リニヤモータや電気的なソレノイド等であってもよい。
【００４０】
上述したように、回動ノブ調整装置３０の構成によると、ノブ２４を一度押圧して、ノブ２４の軸を後方に移動させた後に、ノブの軸を元の位置に戻した後にノブ２４を回動させる構成としたので、ノブ２４の軸を押圧したままの状でノブ２４を回動させてしまい、被調整装置２０の電源が正確にオンとならない状態で調整を行なってしまう弊害を除くことが出来る。
【００４１】
本発明の回動ノブ調整装置３０によると、吸着手段４０の外径をノブ２４の外径より小さくすることができ、被調整装置２０のノブ２４の近傍に他の操作部のノブ２４があっても、他の操作部のノブ２４に吸着手段４０が接触するのを防止することが出来る。また、吸着手段４０が蛇腹状と成されてフレキシブルと成されていることにより、被調整装置２０が所定の位置より多少ズレた位置に配置されても吸着手段４０をノブ２４の前面に吸着させノブ２４を回動させることが出来る。
【図面の簡単な説明】
【００４２】
【図１】本発明の回動ノブ調整装置の１形態を示す斜視図である。
【図２】本発明の回動ノブ調整装置の要部の平面図である。
【図３】本発明の回動ノブ調整装置の動作説明用の断面図（１）である。
【図４】本発明の回動ノブ調整装置の動作説明用の断面図（２）である。
【図５】本発明の回動ノブ調整装置の動作説明用の断面図（３）である。
【図６】従来の回動ノブ調整装置の一部断面図である。
【図７】従来の回動ノブ調整装置の断面図である。
【符号の説明】
【００４３】
２０‥‥被調整装置、２４‥‥ノブ、３０‥‥回動ノブ調整装置、３１‥‥真空発生装置、３２‥‥アクチュエータ（回転手段）、３３‥‥エア供給部、３４‥‥基盤、３５‥‥エアシリンダ、３６‥‥保持部、３７‥‥摺動軸保持部、３８‥‥スライド軸、３９‥‥プッシュ金具、４０‥‥吸着手段、４１‥‥エア吸排出部材、４２‥‥フレキシブルエアホース、４３‥‥自在シャフト、４５‥‥ロッド、４８‥‥小径部、４９‥‥ストッパ、５１‥‥中空部
【図１】
2005109182.tif 000003
【図２】
2005109182.tif 000004
【図３】
2005109182.tif 000005
【図４】
2005109182.tif 000006
【図５】
2005109182.tif 000007
【図６】
2005109182.tif 000008
【図７】
2005109182.tif 000009